(57)【要約】      （修正有）【課題】構造が簡単であり、操作が容易な腰掛け式便器の汚水逆流防止用遮断棒を提供する。【解決手段】吸盤を螺着するスクリューロッド１１１が形成されたハンドル１１と、ハンドルのスクリューロッドを螺着するネジ孔１２１が設けられた吸盤１２と、回動可能にハンドルに嵌設されるためのネジ孔１３１が穿設される調整部材１３と、ハンドルが嵌設され、調整部材の上端に位置付けられ、両端が、腰掛け式便器の内側にある凹溝に係合される固定シート１４とからなる腰掛け式便器用汚水遮断棒が提供される。調整部材を回転して吸盤の高さを調整して、圧力マスクで、腰掛け式便器の排出口を覆うから、固定シートの両側が腰掛け式便器の凹溝に係合されるため、吸盤により、汚水が、圧力によって腰掛け式便器の上部から溢れることを防止することができる。【選択図】図１
0003162591.tif 000002
【実用新案登録請求の範囲】
【請求項１】
腰掛け式便器の排出口を遮断することにより、汚水の逆流を防止する腰掛け式便器用汚水遮断棒であって、
排出口を密閉する吸盤を螺着するスクリューロッドが形成されたハンドルと、
前記ハンドルのスクリューロッドを螺着するネジ孔が設けられた吸盤と、
回動可能に前記ハンドルのスクリューロッドが嵌設されるためのネジ孔が穿設された調整部材と、
前記ハンドルのスクリューロッドが嵌設され、前記調整部材の上端に位置付けられ、両端が、腰掛け式便器の内側に設けてある凹溝に係合される固定シートと
からなることを特徴とする腰掛け式便器用汚水遮断棒。
【考案の詳細な説明】
【技術分野】
【０００１】
本考案は、腰掛け式便器用汚水遮断棒に関するものであり、さらに詳しくは、腰掛け式便器について、天災や管路異常による汚水逆流を防止できる汚水遮断棒の構造に関するものである。
【背景技術】
【０００２】
腰掛け式便器を使用することは、生活様式の変化から非常に普及しているが、例えば、低地に建てられた住宅は、水害等の災害及び事故により、管路が異常状態になることが多く、汚水が、管路を経由して、圧力が相対的に小さい腰掛け式便器に逆流することがある。かかる場合に、室内において、汚水によって汚染されると、その修復は容易ではない。また、従来、市場において、腰掛け式便器の汚水が逆流することを防止するための装置が非常に少なく、既存のものは、構造が、相対的に複雑であり、操作が難しいという問題が指摘されてきた。
【考案の開示】
【考案が解決しようとする課題】
【０００３】
従って、本考案の主な課題は、構造が簡単で、操作が容易であり、汚水の逆流防止を完全に行なうことができる腰掛け式便器汚水遮断棒を提供することにある。
【課題を解決するための手段】
【０００４】
そこで、本考案者は、前記の本考案の課題を解決するため、鋭意検討を重ねた結果、便器の排出口を吸盤等の密着部材を用いることにより、簡便な操作で使用できることを見出し、かかる知見に基いて本考案に想到した。
【０００５】
かくして、本考案によれば、
腰掛け式便器の排出口を遮断することにより、汚水の逆流を防止する腰掛け式便器用汚水遮断棒であって、排出口を密閉する吸盤を螺着するスクリューロッドが形成されたハンドルと、前記ハンドルのスクリューロッドを螺着するネジ孔が設けられた吸盤と、回動可能に前記ハンドルのスクリューロッドが嵌設されるためのネジ孔が穿設された調整部材と、前記ハンドルのスクリューロッドが嵌設され、前記調整部材の上端に位置付けられ、両端が、腰掛け式便器の内側に設けてある凹溝に係合される固定シートとからなることを特徴とする腰掛け式便器用汚水遮断棒が提供される。
【０００６】
すなわち、本考案によれば、ハンドルが設けられた腰掛け式便器用汚水遮断棒を提供するものであり、該ハンドルには、スクリューロッドが形成される。スクリューロッドは、吸盤のネジ孔と螺着することにより吸盤の作動を制御する。また、スクリューロッドは、調整部材のネジ孔に嵌設され、ハンドルを回動することにより調整部材の位置を調整し、調整部材の上端で固定シートの位置が支持される形態で固定される。
【０００７】
かかる形態により、固定シートの両端が腰掛け式便器の内側に形成されてある凹溝に係合される。
【０００８】
かかる腰掛け式便器用汚水遮断棒は、内側に形成されてある凹溝と、底部に排出口が設けられてある腰掛け式便器に、前記固定シートと調整部材とを利用することにより適用することができる。
【考案の効果】
【０００９】
本考案は、前記の如き構成からなる腰掛け式水洗便器用の汚水遮断棒を提供するものであって、構造が簡単であり、かかる遮断棒によれば操作が容易であり、また、吸盤の密閉性を利用して、汚水の逆流を確実に防止することができる。
【考案を実施するための最良の形態】
【００１０】
以下、図面を参照しながら、本考案の特徴や技術内容について、具体的に説明する。もっとも、それらの図面等は、参考や説明のためであり、本考案は、それによって限定されるものではない。
【００１１】
図１〜４を参照する。図１〜４に示されるように、本考案に係る腰掛け式便器汚水遮断棒は、ハンドルが設けられた遮断棒１であって、遮断棒１は、吸盤１２を螺着するスクリューロッド１１１が形成されるハンドル１１と、ハンドル１１のスクリューロッド１１１を螺着するネジ孔１２１が設けられる吸盤１２と、回動可能にハンドル１１に嵌設されるためのネジ孔１３１が穿設された調整部材１３と、ハンドル１１が嵌設され、調整部材１３の上端に位置付けられ、両端が、腰掛け式便器２の内側に形成されてある凹溝２１に係合される固定シート１４とから構成される。腰掛け式便器には、内側に固定シート１４が結合される凹溝２１があり、また、排出口２２を有する。遮断棒１を腰掛け式便器２の上部に設置して、固定シート１４は、両端が、腰掛け式便器２の内側にある凹溝２１に係合されて位置付けられることにより、調整部材１３を回転して吸盤１２の高さを調整して、圧力マスクで、腰掛け式便器２の排出口２２を覆うから、固定シート１４の両側が腰掛け式便器２の凹溝２１に係合されるため、吸盤１２により、汚水が、圧力によって腰掛け式便器２の上部から溢れることを防止でき、室内環境が汚染されることを防止できる。また、本考案に係る腰掛け式便器用汚水遮断棒は、構造が簡単であり、操作が容易である利点を有するものであり、使用価値が極めて大きい。
【００１２】
以上は、本考案のより良い実施形態であり、本考案は、それによって限定されるものではなく、本考案に係わる考案登録請求の範囲や明細書の内容に基づいて行った均等範囲内の変更や修正は、全てが、本考案の範囲内のものである。
【図面の簡単な説明】
【００１３】
【図１】本考案の一実施形態による腰掛け式便器用汚水遮断棒の分解斜視図である。
【図２】本考案の一実施形態による腰掛け式便器用汚水遮断棒の斜視図である。
【図３】本考案の一実施形態による腰掛け式便器用汚水遮断棒の側面断面図である。
【図４】本考案の一実施形態による腰掛け式便器用汚水遮断棒の使用状態を示す概念図である。
【符号の説明】
【００１４】
１  遮断棒
１１  ハンドル
１１１  スクリューロッド
１２  吸盤
１２１  ネジ孔
１３  調整部材
１３１  ネジ孔
１４  固定シート
２  腰掛け式便器
２１  凹溝
２２  排出口
【図１】
0003162591.tif 000003
【図２】
0003162591.tif 000004
【図３】
0003162591.tif 000005
【図４】
0003162591.tif 000006